(57)【要約】【課題】加湿ロータから水分を脱着する効率を上げることができる加湿ユニットを提供する。【解決手段】加湿ユニット４は、加湿通路が経由する加湿ロータ５１を備える。加湿通路においては、加湿ロータ５１よりも上流側には加熱装置が設けられ、かつ、加湿ロータ５１よりも下流側には輻射板と５７が設けられている。これにより、加熱装置の出力を上げなくても、加湿ロータ５１の温度が輻射板５７の輻射熱で上がって、加湿ロータ５１から脱着される水分量を増える。【選択図】図３
2010133611.tif 000002
【特許請求の範囲】
【請求項１】
加湿ロータ(５１)と、
上記加湿ロータ(５１)を経由する加湿通路(１０２)と、
上記加湿通路(１０２)の上記加湿ロータ(５１)よりも上流側に設けられた加熱手段(５２)と、
上記加湿通路(１０２)の上記加湿ロータ(５１)よりも下流側に設けられた輻射板(５７)と
を備えたことを特徴とする加湿ユニット。
【請求項２】
請求項１に記載の加湿ユニットにおいて、
上記加湿通路(１０２)の上記加湿ロータ(５１)よりも下流側に設けられたじゃま板(１５９，２５９)を備えることを特徴とする加湿ユニット。
【請求項３】
請求項２に記載の加湿ユニットにおいて、
上記じゃま板(１５９，２５９)は、上記加湿ロータ(５１)の上記加湿通路(１０２)に面する領域の周縁部以外の部分に対向していることを特徴とする加湿ユニット。
【請求項４】
請求項２または３に記載の加湿ユニットにおいて、
上記じゃま板(１５９)は、上記加湿ロータ(５１)および上記輻射板(５７)に対向する貫通穴(１６０)を有することを特徴とする加湿ユニット。
【請求項５】
請求項１から４までのいずれか一項に記載の加湿ユニットにおいて、
上記輻射板(５７)の上記加湿ロータ(５１)側とは反対側に配置された断熱材(５８)を備えることを特徴とする加湿ユニット。
【請求項６】
請求項１から５までのいずれか一項に記載の加湿ユニットにおいて、
上記加湿ロータ(５１)は円板状であることを特徴とする加湿ユニット。
【請求項７】
請求項６に記載の加湿ユニットにおいて、
上記加熱手段(５２)で加熱された空気が上記加湿ロータ(５１)の略扇形状の領域を通過することを特徴とする加湿ユニット。
【請求項８】
請求項１から７までのいずれか一項に記載の加湿ユニットにおいて、
上記輻射板(５７)の上記加湿ロータ(５１)側の面は凹凸面であることを特徴とする加湿ユニット。
【発明の詳細な説明】
【技術分野】
【０００１】
本発明は、例えば、室内に供給する空気を加湿する加湿ユニットに関する。
【背景技術】
【０００２】
従来、加湿ユニットとしては、加湿ロータと、この加湿ロータを経由する吸湿通路と、その加湿ロータを経由する加湿通路と、加湿通路の加湿ロータよりも上流側の空気を加熱するヒータとを備えて、加湿ロータが、吸湿通路の空気から吸湿する一方、加湿通路の加熱された空気に加湿するものがある（例えば特許第３４３０９９３号公報（特許文献１）参照）。
【０００３】
すなわち、上記加湿ロータの吸湿通路に面する領域は、吸湿通路を流れる空気中の水分を吸着する。一方、上記加湿ロータの加湿通路に面する領域は、ヒータで加熱された空気が通過することによって、温度が上がる。そうすると、上記加湿ロータの加湿通路に面する領域から水分が脱着され、その領域を通過する空気が加湿される。
【０００４】
ところで、上記従来の加湿ユニットでは、加湿通路内の空気はヒータで加熱された後、加湿ロータを通過するが、加湿ロータに到達するまでに温度が下がるため、この温度が下がった分、加湿ロータから脱着される水分量は低下する。この場合、上記ヒータの温度を例えば部品の耐熱温度まで上げれば、加湿ロータから脱着される水分量は増加するが、加湿ロータから水分を脱着する効率は悪い。
【０００５】
また、上記加湿ロータの加湿通路に面する領域の中央部は、ヒータで加熱された空気が流れ易いので、温度が上がり易いが、その領域の周縁部は、ヒータで加熱された空気が流れ難いため、温度が上がり難くなっている。その結果、上記加湿ロータの加湿通路に面する領域の周縁部から脱着される水分は少ない。
【０００６】
このように、上記従来の加湿ユニットには、加湿ロータから水分を効率良く脱着することができないという問題がある。
【特許文献１】特許第３４３０９９３号公報
【発明の開示】
【発明が解決しようとする課題】
【０００７】
そこで、本発明の課題は、加湿ロータから水分を脱着する効率を上げることができる加湿ユニットを提供することにある。
【課題を解決するための手段】
【０００８】
上記課題を解決するため、本発明の加湿ユニットは、
加湿ロータと、
上記加湿ロータを経由する加湿通路と、
上記加湿通路の上記加湿ロータよりも上流側に設けられた加熱手段と、
上記加湿通路の上記加湿ロータよりも下流側に設けられた輻射板と
を備えたことを特徴としている。
【０００９】
上記構成の加湿ユニットによれば、上記加湿通路の加湿ロータよりも上流側の空気が、加熱手段で加熱された後、加湿ロータを通過する。このとき、上記加湿通路の加湿ロータよりも下流側には輻射板が設けられているので、輻射板は加湿ロータからの空気が加熱される。
【００１０】
したがって、上記加熱手段による空気の加熱温度を上げなくても、輻射板の輻射熱により、加湿ロータの温度が上がって、加湿ロータから脱着される水分量が増加するので、加湿ロータから水分を高効率に脱着できる。
【００１１】
一実施形態の加湿ユニットは、
上記加湿通路の上記加湿ロータよりも下流側に設けられたじゃま板を備える。
【００１２】
上記実施形態の加湿ユニットによれば、上記加湿通路の加湿ロータよりも下流側において、じゃま板があることによって、空気は流れ難い。これにより、上記空気によって輻射板を十分に加熱することができる。
【００１３】
したがって、上記加湿ロータの輻射板側の表面を輻射板の輻射熱で十分に加熱して、加湿ロータから脱着される水分量を十分に多くすることができる。
【００１４】
一実施形態の加湿ユニットでは、
上記じゃま板は、上記加湿ロータの上記加湿通路に面する領域の周縁部以外の部分に対向している。
【００１５】
上記実施形態の加湿ユニットによれば、上記じゃま板は、加湿ロータの加湿通路に面する領域の周縁部以外の部分に対向しているので、加湿通路の加湿ロータよりも下流側において、上記周縁部以外の部分に対向する部分を空気が流れ難くなって、周縁部に対向する部分（風の流れ難い部分）と、非周縁部に対向する部分（風の流れ易い部分）とになるべく均等に加熱された空気を送ることができる。これにより、上記輻射板からの輻射熱を加湿ロータになるべく均等に照射することができる。
【００１６】
一実施形態の加湿ユニットでは、
上記じゃま板は、上記加湿ロータおよび上記輻射板に対向する貫通穴を有する。
【００１７】
上記実施形態の加湿ユニットによれば、上記じゃま板は、加湿ロータおよび輻射板に対向する貫通穴を有するので、輻射板の輻射熱をじゃま板の貫通を介して加湿ロータに照射することができる。
【００１８】
一実施形態の加湿ユニットは、
上記輻射板の上記加湿ロータ側とは反対側に配置された断熱材を備える。
【００１９】
上記実施形態の加湿ユニットによれば、上記断熱材が輻射板の加湿ロータ側とは反対側に配置されているので、輻射板の熱が加湿ロータ側とは反対側に逃げるのを防ぐことができる。
【００２０】
一実施形態の加湿ユニットでは、
上記加湿ロータは円板状である。
【００２１】
上記実施形態の加湿ユニットによれば、上記加湿ロータが円板状であるから、小型化できる。
【００２２】
一実施形態の加湿ユニットでは、
上記加熱手段で加熱された空気が上記加湿ロータの略扇形状の領域を通過する。
【００２３】
上記実施形態の加湿ユニットによれば、上記加熱手段で加熱された空気が加湿ロータの略扇形状の領域を通過する場合、加湿ロータの加熱ムラが生じ易いが、輻射板の輻射熱によって加熱ムラが生じるのを防ぐことができる。
【００２４】
一実施形態の加湿ユニットでは、
上記輻射板の上記加湿ロータ側の面は凹凸面である。
【００２５】
上記実施形態の加湿ユニットによれば、上記輻射板の加湿ロータ側の面は凹凸面であるので、加湿ロータの広範囲に輻射熱を照射することができる。
【発明の効果】
【００２６】
本発明の加湿ユニットによれば、加湿通路の上記加湿ロータよりも下流側に輻射板を設けていることによって、加熱手段による空気の加熱温度を上げなくても、加湿ロータの温度が輻射板の輻射熱で上がって、加湿ロータから脱着される水分量が増えるので、加湿ロータから水分を脱着する効率を上げることができる。
【発明を実施するための最良の形態】
【００２７】
以下、本発明の加湿ユニットを図示の実施の形態により詳細に説明する。
【００２８】
［第１実施形態］
図１は、本発明の第１実施形態の加湿ユニット４を搭載する空気調和機１の概略構成図である。
【００２９】
上記空気調和機１は、１台の室外機３と、２台の第１，第２室内機２ａ，２ｂとが冷媒配管１３ａ，１３ｂ，１４ａ，１４ｂによって並列に接続されているマルチタイプの空気調和機である。また、この空気調和機１は、冷房運転および暖房運転を含む通常運転、加湿運転、給気運転および排気運転等の運転を行うことができる。また、上記加湿ユニット４と第１，第２室内機２ａ，２ｂとの間には、加湿ユニット４の内部空間と第１，第２室内機２ａ，２ｂの内部空間とを連通させることが可能な吸排気ホース６ａ，６ｂが設けられている。この吸排気ホース６ａ，６ｂは、室外に配置される室外ダクト８ａ，８ｂと、屋内に配置される室内ダクト９ａ，９ｂとから構成されている。
【００３０】
まず、上記第１，第２室内機２ａ，２ｂについて説明する。この第１，第２室内機２ａ，２ｂは共に壁面等に取り付けられる壁掛け型の室内機である。上記第１室内機２ａは第１部屋１ａ内に配置されている一方、第２室内機２ｂは第２部屋１ｂ内に配置されている。そして、上記第１室内機２ａ内には、第１室内熱交換器１１ａと、この第１室内熱交換器１１ａに対向する第１室内ファン１２ａとが収容されている。また、上記第２室内機２ｂ内には、第１室内機２ａ内と同様に、第２室内熱交換器１１ｂと、この第２室内熱交換器１１ｂに対向する第２室内ファン１２ｂとが収容されている。
【００３１】
上記第１，第２室内熱交換器１１ａ，１１ｂは、複数回折り返されてなる伝熱管と、この伝熱管が挿通された複数のフィンとからなり、接触する空気との間で熱交換を行う。
【００３２】
上記第１，第２室内ファン１２ａ，１２ｂは、円筒形状に構成され、周面には回転軸方向に延びる羽根が設けられている。この第１，第２室内ファン１２ａ，１２ｂは、回転駆動することによって、回転軸と交わる方向の空気流を生成する。そして、上記第１室内ファン１２ａ，１２ｂは、第１，第２部屋１ａ，１ｂ内の空気を第１，第２室内機２ａ，２ｂ内に吸い込むと共に、第１，第２室内熱交換器１１ａ，１１ｂとの間で熱交換を行った後の空気を第１，第２部屋１ａ，１ｂ内に吹き出す。
【００３３】
また、上記第１，第２室内機２ａ，２ｂ内には、室内ダクト９ａ，９ｂの一部が配置されている。室内ダクト９ａ，９ｂには開口が設けられており、この開口は第１，第２室内熱交換器１１ａ，１１ｂの表面と対向する位置に配置されている。より詳しくは、上記開口の位置は、第１，第２室内ファン１２ａ，１２ｂが回転して空気流が生成されている状態で、第１，第２室内機２ａ，２ｂの上部に設けられている空気取込口の下流側であり、かつ、第１，第２室内熱交換器１１ａ，１１ｂの上流側である。
【００３４】
次に、上記室外機３について説明する。この室外機３は、下部の室外空調ユニット５と、上部の加湿ユニット４とを具備する。これにより、上記室外機３では、室外空調ユニット５と加湿ユニット４との電源を一元化することができる。
【００３５】
上記室外空調ユニット５は室外機ケーシング４３を備える。この室外機ケーシング４３内には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５ａ，２５ｂと、室外熱交換器２４に対向する室外ファン２９とが収容されている。
【００３６】
上記室外膨張弁２５ａ，２５ｂは、フィルタ２６ａ，２６ｂおよび液閉鎖弁２７ａ，２７ｂを介して冷媒配管１３ａ，１３ｂに接続されており、この冷媒配管１３ａ，１３ｂを介して室内熱交換器１１ａ，１１ｂの一端に接続されている。
【００３７】
上記四路切換弁２２は、ガス閉鎖弁２８ａ，２８ｂを介して冷媒配管１４ａ，１４ｂに接続されており、この冷媒配管１４ａ，１４ｂを介して室内熱交換器１１ａ，１１ｂの他端に接続されている。
【００３８】
次に、上記加湿ユニット４について説明する。この加湿ユニット４は加湿ユニットケーシング７を備える。この加湿ユニットケーシング７内には、加湿ユニット本体６と、空気流路切換装置５６とが設置されている。
【００３９】
上記加湿ユニットケーシング７の前面には、複数のスリット状の開口からなる吸着用空気吹き出し口７ａが設けられている。この吸着用空気吹き出し口７ａは、吸湿通路１０１を流れた空気を加湿ユニットケーシング７外に排出するための開口である。
【００４０】
また、上記加湿ユニットケーシング７の後面には、吸着用空気取込口７ｂおよび吸排気口７ｃが設けられている。
【００４１】
上記吸着用空気取込口７ｂは、加湿ロータ５１に水分を吸着させるために室外から加湿ユニットケーシング７内に取り込まれる空気が通る開口である。より詳しくは、上記吸着用送風装置５５が駆動すると、室外の空気は、吸着用空気取込口７ｂから吸湿通路１０１内に流入する。この吸湿通路１０１内に流入した空気は、加湿ロータ５１を通過して除湿される。つまり、上記空気中の水分は、吸湿通路１０１に面する加湿ロータ５１に吸着される。
【００４２】
上記吸排気口７ｃは、吸気運転および加湿運転時に、室外の空気を加湿通路１０２内に流入させるための開口である。室外の空気が加湿通路１０２内に入ると、加湿ロータ５１の略扇形状の領域を通過した後、加熱装置５２で加熱されてから、加湿ロータ５１の別の略扇形状の領域を通過して、加湿ファン装置５４へ向かって流れる。また、排気運転時には、室内機２ａ，２ｂから加湿ユニットケーシング７内に取り込まれた空気が吸排気口７ｃから室外へ排気される。なお、加熱装置５２は加熱手段の一例である。
【００４３】
上記加湿ユニット本体６は、加湿ロータ５１、加熱装置５２、加湿ファン装置５４および吸着用送風装置５５を有する。
【００４４】
上記加湿ロータ５１は、ハニカム構造のセラミックロータであり、略円板状を呈する。また、上記加湿ロータ５１は、回転可能に設けられており、図示しないロータ駆動用モータによって回転駆動される。さらに、上記加湿ロータ５１の主たる部分は、ゼオライト等の吸着剤から焼成されている。このゼオライト等の吸着剤は、接触する空気中の水分を吸着すると共に、吸着した水分を加熱されることによって脱着するという性質を有する。なお、本実施形態では、吸着剤としてゼオライトを用いているが、シリカゲルやアルミナ等を吸着剤として用いることも可能である。
【００４５】
このように、上記加湿ロータ５１が略円板状であると、加湿ユニット４を小型化することができる。
【００４６】
上記加熱装置５２は、加湿ロータ５１の上方に位置しており、加湿ロータ５１に対向するように配置されている。また、上記加熱装置５２に加熱された空気が加湿ロータ５１を通過するので、加湿ロータ５１の温度が上がる。
【００４７】
上記加湿ファン装置５４は、加湿ロータ５１の側方に配置されており、加湿ロータ５１のうちの加熱装置５２と対向する部分を通過する空気の流れを生成するラジカルファン組立体である。また、上記加湿ファン装置５４は、室外の空気を室内機２ａ，２ｂへと送ったり、室内の空気を室内機２ａ，２ｂ内に取り入れて室外へ排出したりすることができる。
【００４８】
上記加湿ファン装置５４は、室外から取り入れた空気を室内機２ａ，２ｂへ送る場合、吸排気口７ｃから室外の空気を加湿通路１０２内に吸い込み、その空気を加湿ロータ５１を通過させた後、空気流路切換装置５６および吸排気ホース６ａ，６ｂを介して室内機２ａ，２ｂへ送る。このとき、上記吸排気ホース６ａ，６ｂ内において、空気が矢印Ａ１方向に流れる。
【００４９】
上記加湿ファン装置５４は、室内機２ａ，２ｂ内に取り入れた室内の空気を室外へと排出する場合、その空気を吸排気ホース６ａ，６ｂ、加湿通路１０２および吸排気口７ｃを介して室外へ排出する。このとき、上記吸排気ホース６ａ，６ｂ内において、空気がＡ２方向に流れる。
【００５０】
上記空気流路切換装置５６は吸排気ホース６ａ，６ｂに接続されており、加湿通路１０２からの空気を吸排気ホース６ａ，６ｂの一方に供給することができる。また、上記空気流路切換装置５６は、加湿通路１０２から吸排気ホース６ａ，６ｂへの空気の供給を停止させることもできる。つまり、上記加湿ファン装置５４からの空気が吸排気ホース６ａ，６ｂのどちらにも流入しないようにすることができる。
【００５１】
上記吸着用送風装置５５は、吸着用ファンモータ５９と、吸着用ファンモータ５９によって回転駆動される吸着ファン６１とを有し、加湿ロータ５１のうちの加熱装置５２と対向しない部分を通過する空気の流れを生成する。すなわち、上記吸着用送風装置５５は、吸湿通路１０１内において吸着用空気吹き出し口７ａに向かう空気の流れを生成する。
【００５２】
図２は上記加湿ユニット４の分解斜視図である。なお、図２において、加湿ユニットケーシング７の上部となる天板の図示を省略している。
【００５３】
上記加湿ユニット４内において、加湿運転時、矢印Ａ１１〜Ａ１３に沿う空気流と、矢印Ａ２１〜Ａ２７に沿う空気流とが生成される。このような空気流が生成されている最中、加湿ロータ５１は矢印Ｌ方向に回転する。
【００５４】
上記矢印Ａ１１に沿う空気流は、吸着用空気取込口７ｂから加湿ロータ５１を通過してベルマウス６２近傍へ向かう空気の流れである。この空気は、吸湿通路１０１を流れることにより、加湿ロータ５１のうちの加熱装置５２と対向しない部分を通過するが、この際、空気中の水分がその部分に吸着される。
【００５５】
上記矢印Ａ１２に沿う空気流は、ベルマウス６２近傍からベルマウス６２で囲まれた空間を通って吸着ファン６１内に入る空気の流れである。
【００５６】
上記矢印Ａ１３に沿う空気流は、吸着ファン６１から吹き出されて吸着用空気吹き出し口７ａに向かう空気の流れである。
【００５７】
上記矢印Ａ２１，Ａ２２に沿う空気流は、吸排気口７ｃから加湿ロータ５１を通過して加熱装置５２に向かう空気の流れである。この空気は加湿ロータ５１の略扇形状の第１領域（加湿通路１０２の加熱装置５２よりも上流側の部分に面する領域）を通過するが、この第１領域は加湿ロータ５１の矢印Ｌ方向の回転で吸湿通路１０１に面する。
【００５８】
上記矢印Ａ２３〜Ａ２５に沿う空気流は、加熱装置５２に加熱された空気が加湿ロータ５１を通過して空気流路切換装置５６に向かう空気の流れである。この空気は、加湿ロータ５１の別の略扇形状の第２領域（加湿通路１０２の加熱装置５２よりも下流側の部分に面する領域）を通過して加熱する。この第２領域は、加湿ロータ５１の矢印Ｌ方向の回転で、加湿通路１０２の加熱装置５２よりも上流側の部分に面する。
【００５９】
上記矢印Ａ２６，２７に沿って流れる空気流は、空気流路切換装置５６から加湿ファン装置５４を経由して再び空気流路切換装置５６に戻される空気の流れである。
【００６０】
図３は、図２の一部を拡大した図である。また、図４は、図３のIV−IV線を含む鉛直面で加湿ユニット４を切った概略断面図である。なお、図４では、小円で囲んだ部分を大円内に拡大図示している。
【００６１】
上記加湿通路１０２の加熱装置５２よりも下流側の部分に面する加湿ロータ５１の領域、つまり、上記略扇形状の第２領域下には、図３，図４に示す輻射板５７が配置されている。この輻射板５７と加湿ユニットケーシング７の底部との間には、例えばポリエチレンフォームからなる断熱材５８が配置されている。
【００６２】
上記輻射板５７は、例えばアルミ板、ガルバ鋼板、鉄板等といった金属製の板を用いて形成されている。そして、上記輻射板５７の加湿ロータ５１側の面は凹凸面となっている。より詳しくは、図４の大円内に示すように、輻射板５７の断面形状は、複数の略台形状の凸部と、複数の略三角形状の凹部とを含む。
【００６３】
このように、上記加湿ロータ５１の略扇形状の第２領域よりも下流側に、その第２領域に対向する輻射板５７を配置しているので、加熱装置５２で加熱されて加湿ロータ５１を通過した空気が輻射板５７を加熱する。
【００６４】
したがって、上記加熱装置５２の出力を上げなくても、輻射板５７の輻射熱により、加湿ロータ５１の第２領域の温度が上がって、加湿ロータ５１の第２領域から脱着される水分量が増加するので、加湿ロータ５１の第２領域から水分を高効率に脱着できる。
【００６５】
また、上記断熱材５８が輻射板５７と加湿ユニットケーシング７の底部との間に配置されているので、輻射板５７の熱が加湿ユニットケーシング７の底部へ逃げるのを防ぐことができる。
【００６６】
また、上記加湿ロータ５１の略扇形状の第２領域よりも下流側に輻射板５７が設けていない場合、加湿ロータ５１の略扇形状の第２領域で加熱ムラが生じしまう。このような加熱ムラは、本実施形態のように、輻射板５７を配置することによって少なくできる。
【００６７】
また、上記輻射板５７の加湿ロータ５７側の面は凹凸面であるので、図４の矢印で示すように、輻射板５７の輻射熱が広範囲に広がる。その結果、上記加湿ロータ５１の略扇形状の第２領域において、内周縁部および外周縁部は、加熱装置５２からの空気で加熱され難いが、輻射板５７の輻射熱で加熱することができる。
【００６８】
［第２実施形態］
図５は、本発明の第２実施形態の加湿ユニット１０４の分解斜視図の要部を拡大した図である。また、図６は、図５のVI−VI線を含む鉛直面で加湿ユニット１０４を切った概略断面図である。また、図５，図６において、図１〜図４に示した第１実施形態の構成部と同一構成部は、図１〜図４における構成部と同一参照番号を付して説明を省略する。
【００６９】
上記加湿ユニット１０４は、図５，図６に示すように、加湿ロータ５１の略扇形状の第２領域（加熱装置５２よりも下流側の部分に面する領域）と輻射板５７と間に配置されたじゃま板１５９を備える点のみが、上記第１実施形態の加湿ユニット４と異なる。
【００７０】
上記じゃま板１５９は、パンチング板で形成されており、輻射板５７と同じく輻射機能を有する。また、上記じゃま板１５９は、加湿ロータ５１の略扇形状の第２領域における内周縁部および外周縁部以外の部分に対向する。そして、上記じゃま板１５９には、図７に示すように、加湿ロータ５１および輻射板５７に対向する複数の貫通穴１６０が設けられている（図５，図６参照）。
【００７１】
上記構成の加湿ユニット１０４によれば、加湿ロータ５１の略扇形状の第２領域と輻射板５７と間にじゃま板１５９を配置しているので、その第２領域を通過した空気が下流側に流れ難くなる。
【００７２】
その結果、上記加湿ロータ５１の略扇形状の第２領域を通過した空気によって輻射板５７が十分に加熱されるので、輻射板５７の輻射性能を上げることができる。
【００７３】
また、上記じゃま板１５９は、加湿ロータ５１の略扇形状の第２領域における内周縁部および外周縁部以外の部分に対向するので、その第２領域を通過した空気が下流側に流れ難くなる効果が高い。
【００７４】
また、上記じゃま板１５９は、加湿ロータ５１および輻射板５７に対向する貫通穴１６０を有するので、輻射板１５９の輻射熱をじゃま板１５９の貫通穴１６０を介して加湿ロータ５１の略扇形状の第２領域に照射することができる。
【００７５】
また、上記じゃま板１５９は輻射機能を有するので、図６の矢印で示すように、じゃま板１５９の輻射熱を加湿ロータ５１の略扇形状の第２領域に照射することができる。
【００７６】
上記第２実施形態では、加湿ロータ５１の略扇形状の第２領域と輻射板５７と間にじゃま板１５９を配置していたが、図８に示すじゃま板２５９を配置してもよい。このじゃま板２５９では、加湿ロータ５１および輻射板５７に対向する部分が金網２６０となっている。
【００７７】
また、上記じゃま板２５９は、加湿ロータ５１の略扇形状の第２領域における内周縁部および外周縁部以外の部分に対向するように配置してもよい。
【００７８】
上記第１，第２実施形態の加湿ユニット４，１０４は、マルチタイプの空気調和機１に搭載するものであったが、本発明の一実施形態の加湿ユニットはシングルタイプの空気調和機に搭載するものであってもよい。つまり、本発明の加湿ユニットは、様々なタイプの空気調和機に搭載することができるものであり、また、自身のみで例えば室内を加湿できるものである。
【００７９】
本発明の加湿ユニットは、上記第１，第２実施形態のように、壁掛け型の室内機を有する空気調和機に搭載してもよいし、壁掛け型以外の室内機を有する空気調和機に搭載してもよい。この壁掛け型以外の室内機としては、例えば、床置き型、天井埋込カセット型、天吊型等の室内機がある。
【００８０】
本発明の加湿ユニットのじゃま板の形状は、図７，図８に示す形状に限定されず、加湿ロータを通過して加湿された空気が流れ難くなるような形状であればどのようなものであってもよい。
【図面の簡単な説明】
【００８１】
【図１】図１は本発明の第１実施形態の空気調和機の概略構成図である。
【図２】図２は本発明の第１実施形態の加湿ユニットの分解斜視図である。
【図３】図３は図２の要部の拡大図である。
【図４】図４は上記第１実施形態の加湿ユニットの概略断面図である。
【図５】図５は本発明の第２実施形態の加湿ユニットの要部の分解斜視図である。
【図６】図６は上記第２実施形態の加湿ユニットの概略断面図である。
【図７】図７は上記第２実施形態の加湿ユニットのじゃま板の概略斜視図である。
【図８】図８は上記第２実施形態の加湿ユニットの他のじゃま板の概略斜視図である。
【符号の説明】
【００８２】
４，１０４  加湿ユニット
５１  加湿ロータ
５２  加熱装置
５７  輻射板
５８  断熱材
１０１  吸湿通路
１０２  加湿通路
１５９，２５９  じゃま板
１６０  貫通穴
【図１】
2010133611.tif 000003
【図２】
2010133611.tif 000004
【図３】
2010133611.tif 000005
【図４】
2010133611.tif 000006
【図５】
2010133611.tif 000007
【図６】
2010133611.tif 000008
【図７】
2010133611.tif 000009
【図８】
2010133611.tif 000010
【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
加湿ロータ(５１)と、
上記加湿ロータ(５１)を経由する加湿通路(１０２)と、
上記加湿通路(１０２)の上記加湿ロータ(５１)よりも上流側に設けられた加熱手段(５２)と、
上記加湿通路(１０２)の上記加湿ロータ(５１)よりも下流側に設けられた輻射板(５７)と、
上記加湿通路(１０２)の上記加湿ロータ(５１)よりも下流側に設けられて、上記加湿ロータ(５１)と上記輻射板(５７)との間に、上記加湿ロータ(５１)を通過した空気が流れ難くなるように配置されたじゃま板(１５９，２５９)と
を備えたことを特徴とする加湿ユニット。
【請求項２】
請求項１に記載の加湿ユニットにおいて、
上記じゃま板(１５９，２５９)は、上記加湿ロータ(５１)の上記加湿通路(１０２)に面する領域の周縁部以外の部分に対向していることを特徴とする加湿ユニット。
【請求項３】
請求項１または２に記載の加湿ユニットにおいて、
上記じゃま板(１５９)は、上記加湿ロータ(５１)および上記輻射板(５７)に対向する貫通穴(１６０)を有することを特徴とする加湿ユニット。
【請求項４】
請求項１から３までのいずれか一項に記載の加湿ユニットにおいて、
上記輻射板(５７)の上記加湿ロータ(５１)側とは反対側に配置された断熱材(５８)を備えることを特徴とする加湿ユニット。
【請求項５】
請求項１から４までのいずれか一項に記載の加湿ユニットにおいて、
上記加湿ロータ(５１)は円板状であることを特徴とする加湿ユニット。
【請求項６】
請求項５に記載の加湿ユニットにおいて、
上記加熱手段(５２)で加熱された空気が上記加湿ロータ(５１)の略扇形状の領域を通過することを特徴とする加湿ユニット。
【請求項７】
請求項１から６までのいずれか一項に記載の加湿ユニットにおいて、
上記輻射板(５７)の上記加湿ロータ(５１)側の面は凹凸面であることを特徴とする加湿ユニット。
【手続補正２】
【補正対象書類名】明細書
【補正対象項目名】全文
【補正方法】変更
【補正の内容】
【発明の詳細な説明】
【技術分野】
【０００１】
本発明は、例えば、室内に供給する空気を加湿する加湿ユニットに関する。
【背景技術】
【０００２】
従来、加湿ユニットとしては、加湿ロータと、この加湿ロータを経由する吸湿通路と、その加湿ロータを経由する加湿通路と、加湿通路の加湿ロータよりも上流側の空気を加熱するヒータとを備えて、加湿ロータが、吸湿通路の空気から吸湿する一方、加湿通路の加熱された空気に加湿するものがある（例えば特許第３４３０９９３号公報（特許文献１）参照）。
【０００３】
すなわち、上記加湿ロータの吸湿通路に面する領域は、吸湿通路を流れる空気中の水分を吸着する。一方、上記加湿ロータの加湿通路に面する領域は、ヒータで加熱された空気が通過することによって、温度が上がる。そうすると、上記加湿ロータの加湿通路に面する領域から水分が脱着され、その領域を通過する空気が加湿される。
【０００４】
ところで、上記従来の加湿ユニットでは、加湿通路内の空気はヒータで加熱された後、加湿ロータを通過するが、加湿ロータに到達するまでに温度が下がるため、この温度が下がった分、加湿ロータから脱着される水分量は低下する。この場合、上記ヒータの温度を例えば部品の耐熱温度まで上げれば、加湿ロータから脱着される水分量は増加するが、加湿ロータから水分を脱着する効率は悪い。
【０００５】
また、上記加湿ロータの加湿通路に面する領域の中央部は、ヒータで加熱された空気が流れ易いので、温度が上がり易いが、その領域の周縁部は、ヒータで加熱された空気が流れ難いため、温度が上がり難くなっている。その結果、上記加湿ロータの加湿通路に面する領域の周縁部から脱着される水分は少ない。
【０００６】
このように、上記従来の加湿ユニットには、加湿ロータから水分を効率良く脱着することができないという問題がある。
【特許文献１】特許第３４３０９９３号公報
【発明の開示】
【発明が解決しようとする課題】
【０００７】
そこで、本発明の課題は、加湿ロータから水分を脱着する効率を上げることができる加湿ユニットを提供することにある。
【課題を解決するための手段】
【０００８】
上記課題を解決するため、本発明の加湿ユニットは、
加湿ロータと、
上記加湿ロータを経由する加湿通路と、
上記加湿通路の上記加湿ロータよりも上流側に設けられた加熱手段と、
上記加湿通路の上記加湿ロータよりも下流側に設けられた輻射板と、
上記加湿通路の上記加湿ロータよりも下流側に設けられて、上記加湿ロータと上記輻射板との間に、上記加湿ロータを通過した空気が流れ難くなるように配置されたじゃま板と
を備えたことを特徴としている。
【０００９】
上記構成の加湿ユニットによれば、上記加湿通路の加湿ロータよりも上流側の空気が、加熱手段で加熱された後、加湿ロータを通過する。このとき、上記加湿通路の加湿ロータよりも下流側には輻射板が設けられているので、輻射板は加湿ロータからの空気が加熱される。
【００１０】
したがって、上記加熱手段による空気の加熱温度を上げなくても、輻射板の輻射熱により、加湿ロータの温度が上がって、加湿ロータから脱着される水分量が増加するので、加湿ロータから水分を高効率に脱着できる。
【００１１】
【００１２】
また、上記加湿通路の加湿ロータよりも下流側において、じゃま板があることによって、空気は流れ難い。これにより、上記空気によって輻射板を十分に加熱することができる。
【００１３】
したがって、上記加湿ロータの輻射板側の表面を輻射板の輻射熱で十分に加熱して、加湿ロータから脱着される水分量を十分に多くすることができる。
【００１４】
一実施形態の加湿ユニットでは、
上記じゃま板は、上記加湿ロータの上記加湿通路に面する領域の周縁部以外の部分に対向している。
【００１５】
上記実施形態の加湿ユニットによれば、上記じゃま板は、加湿ロータの加湿通路に面する領域の周縁部以外の部分に対向しているので、加湿通路の加湿ロータよりも下流側において、上記周縁部以外の部分に対向する部分を空気が流れ難くなって、周縁部に対向する部分（風の流れ難い部分）と、非周縁部に対向する部分（風の流れ易い部分）とになるべく均等に加熱された空気を送ることができる。これにより、上記輻射板からの輻射熱を加湿ロータになるべく均等に照射することができる。
【００１６】
一実施形態の加湿ユニットでは、
上記じゃま板は、上記加湿ロータおよび上記輻射板に対向する貫通穴を有する。
【００１７】
上記実施形態の加湿ユニットによれば、上記じゃま板は、加湿ロータおよび輻射板に対向する貫通穴を有するので、輻射板の輻射熱をじゃま板の貫通を介して加湿ロータに照射することができる。
【００１８】
一実施形態の加湿ユニットは、
上記輻射板の上記加湿ロータ側とは反対側に配置された断熱材を備える。
【００１９】
上記実施形態の加湿ユニットによれば、上記断熱材が輻射板の加湿ロータ側とは反対側に配置されているので、輻射板の熱が加湿ロータ側とは反対側に逃げるのを防ぐことができる。
【００２０】
一実施形態の加湿ユニットでは、
上記加湿ロータは円板状である。
【００２１】
上記実施形態の加湿ユニットによれば、上記加湿ロータが円板状であるから、小型化できる。
【００２２】
一実施形態の加湿ユニットでは、
上記加熱手段で加熱された空気が上記加湿ロータの略扇形状の領域を通過する。
【００２３】
上記実施形態の加湿ユニットによれば、上記加熱手段で加熱された空気が加湿ロータの略扇形状の領域を通過する場合、加湿ロータの加熱ムラが生じ易いが、輻射板の輻射熱によって加熱ムラが生じるのを防ぐことができる。
【００２４】
一実施形態の加湿ユニットでは、
上記輻射板の上記加湿ロータ側の面は凹凸面である。
【００２５】
上記実施形態の加湿ユニットによれば、上記輻射板の加湿ロータ側の面は凹凸面であるので、加湿ロータの広範囲に輻射熱を照射することができる。
【発明の効果】
【００２６】
本発明の加湿ユニットによれば、加湿通路の上記加湿ロータよりも下流側に輻射板を設けていることによって、加熱手段による空気の加熱温度を上げなくても、加湿ロータの温度が輻射板の輻射熱で上がって、加湿ロータから脱着される水分量が増えるので、加湿ロータから水分を脱着する効率を上げることができる。
【発明を実施するための最良の形態】
【００２７】
以下、本発明の加湿ユニットを図示の実施の形態により詳細に説明する。
【００２８】
［第１実施形態］
図１は、本発明の第１実施形態の加湿ユニット４を搭載する空気調和機１の概略構成図である。
【００２９】
上記空気調和機１は、１台の室外機３と、２台の第１，第２室内機２ａ，２ｂとが冷媒配管１３ａ，１３ｂ，１４ａ，１４ｂによって並列に接続されているマルチタイプの空気調和機である。また、この空気調和機１は、冷房運転および暖房運転を含む通常運転、加湿運転、給気運転および排気運転等の運転を行うことができる。また、上記加湿ユニット４と第１，第２室内機２ａ，２ｂとの間には、加湿ユニット４の内部空間と第１，第２室内機２ａ，２ｂの内部空間とを連通させることが可能な吸排気ホース６ａ，６ｂが設けられている。この吸排気ホース６ａ，６ｂは、室外に配置される室外ダクト８ａ，８ｂと、屋内に配置される室内ダクト９ａ，９ｂとから構成されている。
【００３０】
まず、上記第１，第２室内機２ａ，２ｂについて説明する。この第１，第２室内機２ａ，２ｂは共に壁面等に取り付けられる壁掛け型の室内機である。上記第１室内機２ａは第１部屋１ａ内に配置されている一方、第２室内機２ｂは第２部屋１ｂ内に配置されている。そして、上記第１室内機２ａ内には、第１室内熱交換器１１ａと、この第１室内熱交換器１１ａに対向する第１室内ファン１２ａとが収容されている。また、上記第２室内機２ｂ内には、第１室内機２ａ内と同様に、第２室内熱交換器１１ｂと、この第２室内熱交換器１１ｂに対向する第２室内ファン１２ｂとが収容されている。
【００３１】
上記第１，第２室内熱交換器１１ａ，１１ｂは、複数回折り返されてなる伝熱管と、この伝熱管が挿通された複数のフィンとからなり、接触する空気との間で熱交換を行う。
【００３２】
上記第１，第２室内ファン１２ａ，１２ｂは、円筒形状に構成され、周面には回転軸方向に延びる羽根が設けられている。この第１，第２室内ファン１２ａ，１２ｂは、回転駆動することによって、回転軸と交わる方向の空気流を生成する。そして、上記第１室内ファン１２ａ，１２ｂは、第１，第２部屋１ａ，１ｂ内の空気を第１，第２室内機２ａ，２ｂ内に吸い込むと共に、第１，第２室内熱交換器１１ａ，１１ｂとの間で熱交換を行った後の空気を第１，第２部屋１ａ，１ｂ内に吹き出す。
【００３３】
また、上記第１，第２室内機２ａ，２ｂ内には、室内ダクト９ａ，９ｂの一部が配置されている。室内ダクト９ａ，９ｂには開口が設けられており、この開口は第１，第２室内熱交換器１１ａ，１１ｂの表面と対向する位置に配置されている。より詳しくは、上記開口の位置は、第１，第２室内ファン１２ａ，１２ｂが回転して空気流が生成されている状態で、第１，第２室内機２ａ，２ｂの上部に設けられている空気取込口の下流側であり、かつ、第１，第２室内熱交換器１１ａ，１１ｂの上流側である。
【００３４】
次に、上記室外機３について説明する。この室外機３は、下部の室外空調ユニット５と、上部の加湿ユニット４とを具備する。これにより、上記室外機３では、室外空調ユニット５と加湿ユニット４との電源を一元化することができる。
【００３５】
上記室外空調ユニット５は室外機ケーシング４３を備える。この室外機ケーシング４３内には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５ａ，２５ｂと、室外熱交換器２４に対向する室外ファン２９とが収容されている。
【００３６】
上記室外膨張弁２５ａ，２５ｂは、フィルタ２６ａ，２６ｂおよび液閉鎖弁２７ａ，２７ｂを介して冷媒配管１３ａ，１３ｂに接続されており、この冷媒配管１３ａ，１３ｂを介して室内熱交換器１１ａ，１１ｂの一端に接続されている。
【００３７】
上記四路切換弁２２は、ガス閉鎖弁２８ａ，２８ｂを介して冷媒配管１４ａ，１４ｂに接続されており、この冷媒配管１４ａ，１４ｂを介して室内熱交換器１１ａ，１１ｂの他端に接続されている。
【００３８】
次に、上記加湿ユニット４について説明する。この加湿ユニット４は加湿ユニットケーシング７を備える。この加湿ユニットケーシング７内には、加湿ユニット本体６と、空気流路切換装置５６とが設置されている。
【００３９】
上記加湿ユニットケーシング７の前面には、複数のスリット状の開口からなる吸着用空気吹き出し口７ａが設けられている。この吸着用空気吹き出し口７ａは、吸湿通路１０１を流れた空気を加湿ユニットケーシング７外に排出するための開口である。
【００４０】
また、上記加湿ユニットケーシング７の後面には、吸着用空気取込口７ｂおよび吸排気口７ｃが設けられている。
【００４１】
上記吸着用空気取込口７ｂは、加湿ロータ５１に水分を吸着させるために室外から加湿ユニットケーシング７内に取り込まれる空気が通る開口である。より詳しくは、上記吸着用送風装置５５が駆動すると、室外の空気は、吸着用空気取込口７ｂから吸湿通路１０１内に流入する。この吸湿通路１０１内に流入した空気は、加湿ロータ５１を通過して除湿される。つまり、上記空気中の水分は、吸湿通路１０１に面する加湿ロータ５１に吸着される。
【００４２】
上記吸排気口７ｃは、吸気運転および加湿運転時に、室外の空気を加湿通路１０２内に流入させるための開口である。室外の空気が加湿通路１０２内に入ると、加湿ロータ５１の略扇形状の領域を通過した後、加熱装置５２で加熱されてから、加湿ロータ５１の別の略扇形状の領域を通過して、加湿ファン装置５４へ向かって流れる。また、排気運転時には、室内機２ａ，２ｂから加湿ユニットケーシング７内に取り込まれた空気が吸排気口７ｃから室外へ排気される。なお、加熱装置５２は加熱手段の一例である。
【００４３】
上記加湿ユニット本体６は、加湿ロータ５１、加熱装置５２、加湿ファン装置５４および吸着用送風装置５５を有する。
【００４４】
上記加湿ロータ５１は、ハニカム構造のセラミックロータであり、略円板状を呈する。また、上記加湿ロータ５１は、回転可能に設けられており、図示しないロータ駆動用モータによって回転駆動される。さらに、上記加湿ロータ５１の主たる部分は、ゼオライト等の吸着剤から焼成されている。このゼオライト等の吸着剤は、接触する空気中の水分を吸着すると共に、吸着した水分を加熱されることによって脱着するという性質を有する。なお、本実施形態では、吸着剤としてゼオライトを用いているが、シリカゲルやアルミナ等を吸着剤として用いることも可能である。
【００４５】
このように、上記加湿ロータ５１が略円板状であると、加湿ユニット４を小型化することができる。
【００４６】
上記加熱装置５２は、加湿ロータ５１の上方に位置しており、加湿ロータ５１に対向するように配置されている。また、上記加熱装置５２に加熱された空気が加湿ロータ５１を通過するので、加湿ロータ５１の温度が上がる。
【００４７】
上記加湿ファン装置５４は、加湿ロータ５１の側方に配置されており、加湿ロータ５１のうちの加熱装置５２と対向する部分を通過する空気の流れを生成するラジカルファン組立体である。また、上記加湿ファン装置５４は、室外の空気を室内機２ａ，２ｂへと送ったり、室内の空気を室内機２ａ，２ｂ内に取り入れて室外へ排出したりすることができる。
【００４８】
上記加湿ファン装置５４は、室外から取り入れた空気を室内機２ａ，２ｂへ送る場合、吸排気口７ｃから室外の空気を加湿通路１０２内に吸い込み、その空気を加湿ロータ５１を通過させた後、空気流路切換装置５６および吸排気ホース６ａ，６ｂを介して室内機２ａ，２ｂへ送る。このとき、上記吸排気ホース６ａ，６ｂ内において、空気が矢印Ａ１方向に流れる。
【００４９】
上記加湿ファン装置５４は、室内機２ａ，２ｂ内に取り入れた室内の空気を室外へと排出する場合、その空気を吸排気ホース６ａ，６ｂ、加湿通路１０２および吸排気口７ｃを介して室外へ排出する。このとき、上記吸排気ホース６ａ，６ｂ内において、空気がＡ２方向に流れる。
【００５０】
上記空気流路切換装置５６は吸排気ホース６ａ，６ｂに接続されており、加湿通路１０２からの空気を吸排気ホース６ａ，６ｂの一方に供給することができる。また、上記空気流路切換装置５６は、加湿通路１０２から吸排気ホース６ａ，６ｂへの空気の供給を停止させることもできる。つまり、上記加湿ファン装置５４からの空気が吸排気ホース６ａ，６ｂのどちらにも流入しないようにすることができる。
【００５１】
上記吸着用送風装置５５は、吸着用ファンモータ５９と、吸着用ファンモータ５９によって回転駆動される吸着ファン６１とを有し、加湿ロータ５１のうちの加熱装置５２と対向しない部分を通過する空気の流れを生成する。すなわち、上記吸着用送風装置５５は、吸湿通路１０１内において吸着用空気吹き出し口７ａに向かう空気の流れを生成する。
【００５２】
図２は上記加湿ユニット４の分解斜視図である。なお、図２において、加湿ユニットケーシング７の上部となる天板の図示を省略している。
【００５３】
上記加湿ユニット４内において、加湿運転時、矢印Ａ１１〜Ａ１３に沿う空気流と、矢印Ａ２１〜Ａ２７に沿う空気流とが生成される。このような空気流が生成されている最中、加湿ロータ５１は矢印Ｌ方向に回転する。
【００５４】
上記矢印Ａ１１に沿う空気流は、吸着用空気取込口７ｂから加湿ロータ５１を通過してベルマウス６２近傍へ向かう空気の流れである。この空気は、吸湿通路１０１を流れることにより、加湿ロータ５１のうちの加熱装置５２と対向しない部分を通過するが、この際、空気中の水分がその部分に吸着される。
【００５５】
上記矢印Ａ１２に沿う空気流は、ベルマウス６２近傍からベルマウス６２で囲まれた空間を通って吸着ファン６１内に入る空気の流れである。
【００５６】
上記矢印Ａ１３に沿う空気流は、吸着ファン６１から吹き出されて吸着用空気吹き出し口７ａに向かう空気の流れである。
【００５７】
上記矢印Ａ２１，Ａ２２に沿う空気流は、吸排気口７ｃから加湿ロータ５１を通過して加熱装置５２に向かう空気の流れである。この空気は加湿ロータ５１の略扇形状の第１領域（加湿通路１０２の加熱装置５２よりも上流側の部分に面する領域）を通過するが、この第１領域は加湿ロータ５１の矢印Ｌ方向の回転で吸湿通路１０１に面する。
【００５８】
上記矢印Ａ２３〜Ａ２５に沿う空気流は、加熱装置５２に加熱された空気が加湿ロータ５１を通過して空気流路切換装置５６に向かう空気の流れである。この空気は、加湿ロータ５１の別の略扇形状の第２領域（加湿通路１０２の加熱装置５２よりも下流側の部分に面する領域）を通過して加熱する。この第２領域は、加湿ロータ５１の矢印Ｌ方向の回転で、加湿通路１０２の加熱装置５２よりも上流側の部分に面する。
【００５９】
上記矢印Ａ２６，２７に沿って流れる空気流は、空気流路切換装置５６から加湿ファン装置５４を経由して再び空気流路切換装置５６に戻される空気の流れである。
【００６０】
図３は、図２の一部を拡大した図である。また、図４は、図３のIV−IV線を含む鉛直面で加湿ユニット４を切った概略断面図である。なお、図４では、小円で囲んだ部分を大円内に拡大図示している。
【００６１】
上記加湿通路１０２の加熱装置５２よりも下流側の部分に面する加湿ロータ５１の領域、つまり、上記略扇形状の第２領域下には、図３，図４に示す輻射板５７が配置されている。この輻射板５７と加湿ユニットケーシング７の底部との間には、例えばポリエチレンフォームからなる断熱材５８が配置されている。
【００６２】
上記輻射板５７は、例えばアルミ板、ガルバ鋼板、鉄板等といった金属製の板を用いて形成されている。そして、上記輻射板５７の加湿ロータ５１側の面は凹凸面となっている。より詳しくは、図４の大円内に示すように、輻射板５７の断面形状は、複数の略台形状の凸部と、複数の略三角形状の凹部とを含む。
【００６３】
このように、上記加湿ロータ５１の略扇形状の第２領域よりも下流側に、その第２領域に対向する輻射板５７を配置しているので、加熱装置５２で加熱されて加湿ロータ５１を通過した空気が輻射板５７を加熱する。
【００６４】
したがって、上記加熱装置５２の出力を上げなくても、輻射板５７の輻射熱により、加湿ロータ５１の第２領域の温度が上がって、加湿ロータ５１の第２領域から脱着される水分量が増加するので、加湿ロータ５１の第２領域から水分を高効率に脱着できる。
【００６５】
また、上記断熱材５８が輻射板５７と加湿ユニットケーシング７の底部との間に配置されているので、輻射板５７の熱が加湿ユニットケーシング７の底部へ逃げるのを防ぐことができる。
【００６６】
また、上記加湿ロータ５１の略扇形状の第２領域よりも下流側に輻射板５７が設けていない場合、加湿ロータ５１の略扇形状の第２領域で加熱ムラが生じしまう。このような加熱ムラは、本実施形態のように、輻射板５７を配置することによって少なくできる。
【００６７】
また、上記輻射板５７の加湿ロータ５７側の面は凹凸面であるので、図４の矢印で示すように、輻射板５７の輻射熱が広範囲に広がる。その結果、上記加湿ロータ５１の略扇形状の第２領域において、内周縁部および外周縁部は、加熱装置５２からの空気で加熱され難いが、輻射板５７の輻射熱で加熱することができる。
【００６８】
［第２実施形態］
図５は、本発明の第２実施形態の加湿ユニット１０４の分解斜視図の要部を拡大した図である。また、図６は、図５のVI−VI線を含む鉛直面で加湿ユニット１０４を切った概略断面図である。また、図５，図６において、図１〜図４に示した第１実施形態の構成部と同一構成部は、図１〜図４における構成部と同一参照番号を付して説明を省略する。
【００６９】
上記加湿ユニット１０４は、図５，図６に示すように、加湿ロータ５１の略扇形状の第２領域（加熱装置５２よりも下流側の部分に面する領域）と輻射板５７と間に配置されたじゃま板１５９を備える点のみが、上記第１実施形態の加湿ユニット４と異なる。
【００７０】
上記じゃま板１５９は、パンチング板で形成されており、輻射板５７と同じく輻射機能を有する。また、上記じゃま板１５９は、加湿ロータ５１の略扇形状の第２領域における内周縁部および外周縁部以外の部分に対向する。そして、上記じゃま板１５９には、図７に示すように、加湿ロータ５１および輻射板５７に対向する複数の貫通穴１６０が設けられている（図５，図６参照）。
【００７１】
上記構成の加湿ユニット１０４によれば、加湿ロータ５１の略扇形状の第２領域と輻射板５７と間にじゃま板１５９を配置しているので、その第２領域を通過した空気が下流側に流れ難くなる。
【００７２】
その結果、上記加湿ロータ５１の略扇形状の第２領域を通過した空気によって輻射板５７が十分に加熱されるので、輻射板５７の輻射性能を上げることができる。
【００７３】
また、上記じゃま板１５９は、加湿ロータ５１の略扇形状の第２領域における内周縁部および外周縁部以外の部分に対向するので、その第２領域を通過した空気が下流側に流れ難くなる効果が高い。
【００７４】
また、上記じゃま板１５９は、加湿ロータ５１および輻射板５７に対向する貫通穴１６０を有するので、輻射板１５９の輻射熱をじゃま板１５９の貫通穴１６０を介して加湿ロータ５１の略扇形状の第２領域に照射することができる。
【００７５】
また、上記じゃま板１５９は輻射機能を有するので、図６の矢印で示すように、じゃま板１５９の輻射熱を加湿ロータ５１の略扇形状の第２領域に照射することができる。
【００７６】
上記第２実施形態では、加湿ロータ５１の略扇形状の第２領域と輻射板５７と間にじゃま板１５９を配置していたが、図８に示すじゃま板２５９を配置してもよい。このじゃま板２５９では、加湿ロータ５１および輻射板５７に対向する部分が金網２６０となっている。
【００７７】
また、上記じゃま板２５９は、加湿ロータ５１の略扇形状の第２領域における内周縁部および外周縁部以外の部分に対向するように配置してもよい。
【００７８】
上記第１，第２実施形態の加湿ユニット４，１０４は、マルチタイプの空気調和機１に搭載するものであったが、本発明の一実施形態の加湿ユニットはシングルタイプの空気調和機に搭載するものであってもよい。つまり、本発明の加湿ユニットは、様々なタイプの空気調和機に搭載することができるものであり、また、自身のみで例えば室内を加湿できるものである。
【００７９】
本発明の加湿ユニットは、上記第１，第２実施形態のように、壁掛け型の室内機を有する空気調和機に搭載してもよいし、壁掛け型以外の室内機を有する空気調和機に搭載してもよい。この壁掛け型以外の室内機としては、例えば、床置き型、天井埋込カセット型、天吊型等の室内機がある。
【００８０】
本発明の加湿ユニットのじゃま板の形状は、図７，図８に示す形状に限定されず、加湿ロータを通過して加湿された空気が流れ難くなるような形状であればどのようなものであってもよい。
【図面の簡単な説明】
【００８１】
【図１】図１は本発明の第１実施形態の空気調和機の概略構成図である。
【図２】図２は本発明の第１実施形態の加湿ユニットの分解斜視図である。
【図３】図３は図２の要部の拡大図である。
【図４】図４は上記第１実施形態の加湿ユニットの概略断面図である。
【図５】図５は本発明の第２実施形態の加湿ユニットの要部の分解斜視図である。
【図６】図６は上記第２実施形態の加湿ユニットの概略断面図である。
【図７】図７は上記第２実施形態の加湿ユニットのじゃま板の概略斜視図である。
【図８】図８は上記第２実施形態の加湿ユニットの他のじゃま板の概略斜視図である。
【符号の説明】
【００８２】
４，１０４  加湿ユニット
５１  加湿ロータ
５２  加熱装置
５７  輻射板
５８  断熱材
１０１  吸湿通路
１０２  加湿通路
１５９，２５９  じゃま板
１６０  貫通穴